(57)【要約】【課題】  広範囲に亘って磁力線を発生させることができる紐状磁石を提供する。【解決手段】  磁性粉を含有し可撓性を有する合成樹脂製の索条体２の長手方向に沿って、平面状の極性境界面３ａを有する第一着磁部３と、第一着磁部３の極性境界面３ａと略同一平面上に極性境界面４ａを有するとともに第一着磁部３の磁気極性に対して逆極性となる第二着磁部４とを、長手方向に順次直列にて交互に配置した。【選択図】      図１
2010142466.tif 000002
【特許請求の範囲】
【請求項１】
磁性粉を含有しかつ可撓性を有する合成樹脂製の索条体と、
この索条体の長手方向に沿って所定ピッチ毎に形成された複数の着磁部と、を備え、
隣接する着磁部の極性が互いに逆極性であることを特徴とする紐状磁石。
【請求項２】
前記索条体の長手方向の両端部に、互いに係脱可能な一対の止め具をさらに備えている請求項１に記載の紐状磁石。
【発明の詳細な説明】
【技術分野】
【０００１】
本発明は、磁気治療具等に用いられる紐状磁石に関する。
【背景技術】
【０００２】
従来、永久磁石が磁気治療具として用いられており、例えば環状のバンドに永久磁石を複数個取り付けたネックタイプのものが提供されている（例えば、特許文献１参照）。この永久磁石は、身体の首部に装着した状態で磁気により血行を促進したり筋肉を弛緩させたりして、肩こりを治療することができる。
ところが、上記永久磁石を用いた磁気治療具は、複数の永久磁石を収納するための磁気カプセル（筒体）が必要になるため、コストが高くなるという問題や、デザインの自由度が少ないという問題があった。この問題を解消するものとして、図５に示すように、永久磁石１００の素材として磁性粉を含有した可撓性を有する索条体を用い、その長手方向に沿って磁気極性の境界面１０１が連続的に形成されるように着磁された紐状磁石が知られている。
【０００３】
【特許文献１】特開２００４−１４７８５９号公報
【発明の開示】
【発明が解決しようとする課題】
【０００４】
しかしながら、上記紐状磁石にあっては、Ｎ極とＳ極とがそれぞれ長手方向に連続しているため、その磁極線１０２は紐状磁石の外周面に沿った狭い範囲にしか発生しない。このため、上記紐状磁石を磁気治療具として用いた場合、磁気を身体に深く浸透させることができないので、治療効果が低下するという新たな問題が生じる。
【０００５】
本発明は、上記の事情に鑑みてなされたものであり、広範囲に亘って磁力線を発生させることができる紐状磁石を提供することを目的とする。
【課題を解決するための手段】
【０００６】
上記目的を達成するための本発明の紐状磁石は、磁性粉を含有しかつ可撓性を有する合成樹脂製の索条体と、この索条体の長手方向に沿って所定ピッチ毎に形成された複数の着磁部と、を備え、隣接する着磁部の極性が互いに逆極性であることを特徴としている。
上記発明によれば、索条体の長手方向に隣接する着磁部が互いに逆極性であるため、この隣接する着磁部間に広範囲に亘って磁力線を発生させることができる。
【０００７】
また、前記紐状磁石は、前記索条体の長手方向の両端部に、互いに係脱可能な一対の止め具をさらに備えていることが好ましい。
この場合には、紐状磁石を身体に簡単に巻き掛けることができ、身体のこり等のポイントに磁力線を効果的に作用させることができる。
【発明の効果】
【０００８】
本発明によれば、索条体の長手方向に隣接する着磁部間に広範囲に亘って磁力線を発生させることができる。
【発明を実施するための最良の形態】
【０００９】
次に、本発明の好ましい実施形態について添付図面を参照しながら説明する。
図１は、この発明の一実施形態に係る紐状磁石１を示す斜視図である。この紐状磁石１は、合成樹脂製の索条体２に複数の第一着磁部３および第二着磁部４が、長手方向に沿って直列にて交互に配置されているものである。
【００１０】
上記索条体２は、断面円形状に形成されているとともに磁性粉を含有した可撓性を有する紐状のものである。上記第一着磁部３は、索条体２の長手方向（軸方向）に沿って磁気の極性境界面５が平面状に形成されるように着磁されている。この極性境界面５は第一着磁部３を径方向に二等分するように形成され、極性境界面５より片側（図１の上側）の半円柱部３ａがＮ極、他側（図１の下側）の半円柱部３ｂはＳ極となるように着磁されている。
【００１１】
上記第二着磁部４は、索条体２の長手方向に上記極性境界面５と略同一平面上に平面状の極性境界面６が形成されるように着磁されている。この極性境界面６は第二着磁部４を径方向に二等分するように形成されているとともに、隣接する第一着磁部３の磁気極性に対して逆極性となるように着磁されている。すなわち、極性境界面６より片側（図１上側）の半円柱部４ａがＳ極、他側（図１下側）の半円柱部４ａがＮ極となるように着磁されている。
【００１２】
上記構成により、各第一着磁部３のＮ極から発生した磁力線Ｊ１は、当該第一着磁部３のＳ極だけでなく、長手方向に隣接する第二着磁部４のＳ極にも到達する。また、上記隣接する第二着磁部４のＮ極から発生した磁力線Ｊ２は、当該第二着磁部４のＳ極だけでなく、長手方向に隣接する第一着磁部３のＳ極にも到達する。上記長手方向に発生する磁力線Ｊ１およびＪ２は、図１に示すように、隣接する各着磁部３，４の長手方向の中心部の間において最大の磁力線が発生する。
【００１３】
図２は、上記紐状磁石１の製造工程の一例を示すフロー図である。図において、まず、可撓性を有するオレフィン系ゴムと、熱可塑性合成樹脂であるエチレン系樹脂と、磁性粉であるフェライト粉末とを図示しない混合機により混合する（混合工程）。上記オレフィン系ゴムとしては、エチレン−プロピレン共重合体ゴム、エチレン−ブチレン共重合体ゴム等などを挙げることができる。また、上記エチレン系樹脂は、オレフィン系ゴムとの混和性が良好であり、例えば、低密度ポリエチレン樹脂、高密度ポリエチレン樹脂、直鎖状低密度ポリエチレン樹脂、エチレン−酢酸ビニル共重合樹脂などを挙げることができる。
【００１４】
次に、上記混合行程にて混合された混合物を、図示しない押出成形機により押出し成形して、断面円形状の索条体２を形成する（成形工程）。
さらに、この索条体２を、着磁機（図示せず）に通して順次着磁する。この際、一定間隔毎にＮ極とＳ極とが反転するように着磁することにより、上記極性境界面５を有する第一着磁部３および上記極性境界面６を有する第二着磁部４を長手方向に沿って直列にて交互に形成する（着磁工程）。これにより、可撓性を有する紐状磁石１を製造することができる。
【００１５】
図３は、上記紐状磁石１の利用例を示すものであって、肩こりを治療する磁気治療具として身体の首部に環状に装着した状態を示す斜視図である。この紐状磁石１は、索条体２の両端部に止め具７が設けられている。
図４に示すように、上記止め具７は、互いに係脱可能な一対の雄止め具８と雌止め具９とを備えている。上記雄止め具８は、その先端に玉状の突起８ａを有しており、雌止め具９は、その先端側に上記突起８ａを回転自在に挟持する凹陥部９ａを有している。上記雌止め具９の先端側は、スリット９ｂによって弾性的に拡開可能に２分割されている。
【００１６】
上記索条体２の両端部は、上記雄止め具８の突起８ａを雌止め具９の凹陥部９ａに押し込むことで接続され、反対に、雄止め具８と雌止め具９を互いに反対方向に引っ張るか、互いの突き合わせ面を起点として山折りもしくは谷折りすることで切離される。
また、接続された上記雄止め具８と雌止め具９は、突起８ａを中心として互いにその周方向に回転自在である。これによって、接続される時に生じやすい索条体２のねじれを、接続させた状態のままで、容易に解消することができる。
【００１７】
図３に示すように、紐状磁石１は、身体の首部に巻き掛けた状態で、索条体２の両端に設けられた雄止め具８と雌止め具９とを嵌合させることにより、当該首部に装着される。この状態で、各第一着磁部３および第二着磁部４の磁気を肩こりのポイントに効果的に作用させることにより、血行を促進したり筋肉を弛緩させたりすることができ、その治療効果を高めることができる。しかも、隣接する第一着磁部３と第二着磁部４との間には、磁力線Ｊ１およびＪ２が、両者の境界部を跨ぐように発生するため、紐状磁石１の外周面より外側の広範囲に亘って磁力線Ｊ１およびＪ２を発生させることができる。このため、磁気を身体に対して深くかつ広範囲に浸透させることができる。これにより、本発明の紐状磁石１を磁気治療具として使用した場合に、その治療効果が低下するのを防止することができる。
【００１８】
なお、本発明は前記した実施形態に限定されるものではない。例えば、上記実施形態では、索条体２を断面円形状に形成しているが、断面多角形状や断面楕円形状に形成してもよい。
また、上記実施形態では、第一着磁部３と第二着磁部４とを長手方向に沿って隙間なく形成しているが、第一着磁部３と第二着磁部４との間に所定幅の非着磁部を形成してもよい。
さらに、本発明の紐状磁石１は、首部に巻き掛ける磁気治療具の他、肘、膝、腰または足首等に巻き掛ける磁気治療具として適用することができる。
また、本発明の紐状磁石１は、上記磁気治療具以外の種々の用途に適用することができる。
【図面の簡単な説明】
【００１９】
【図１】本発明の一実施形態に係る紐状磁石の斜視図である。
【図２】上記紐状磁石の製造工程を示すフロー図である。
【図３】上記紐状磁石の利用例を示すものであって、磁気治療具として首部に装着した状態を示す斜視図である。
【図４】上記紐状磁石の止め具の斜視図である。
【図５】従来の紐状磁石の斜視図である。
【符号の説明】
【００２０】
１    紐状磁石
２    索条体
３    第一着磁部
４    第二着磁部
７    止め具
【図１】
2010142466.tif 000003
【図２】
2010142466.tif 000004
【図３】
2010142466.tif 000005
【図４】
2010142466.tif 000006
【図５】
2010142466.tif 000007